(57)【要約】【課題】  屋外に設置しても印刷紙の取出部から雨水が侵入して印刷紙や内部機器が故障することのない印刷紙取出部を備えたキャビネットを提供する。【解決手段】  受領書出力部９から出力された受領書を取り出す取出部４を備え、取出部４は、受領書を取り出すためにキャビネット１に形成した開口部１２ｂを閉塞する閉塞部材７と、開口部１２ｂの背部に配置されて受領書出力部９から出力された受領書を収容する収容箱８とを有し、閉塞部材７は扉板１３により開閉可能な受領書取出口６を有して、開口部１２ｂの前面を覆うよう配置され、扉板１３は上端が受領書取出口６の上辺に蝶着されて、収容箱８は扉板１３の回動空間を備えて、底面８ｄは前傾した傾斜を有している。【選択図】  図４
2020022638.tif 000002
【特許請求の範囲】
【請求項１】
物品を収容する収容部と、印刷紙出力部を有して出力された印刷紙を取り出す取出部とを備えたキャビネットであって、
前記取出部は、前記印刷紙を取り出するためにキャビネットに形成した開口部を閉塞する閉塞部材と、
前記開口部の背部に配置されて、前記印刷紙出力部から出力された印刷紙を収容する収容箱とを有し、
前記閉塞部材は、扉板により開閉可能な取出口を有して、前記開口部の前面を覆うよう配置されると共に、前記扉板は上端が前記取出口の上辺に蝶着されて、前記開口部の内部方向へ回動可能に設けられている一方、
前記収容箱は、前記扉板の回動空間を備えると共に、奥部に前記印刷紙出力部が出力した印刷紙を受け入れる受入窓が設けられており、
更に前記収容箱の底面は、前傾した斜面を有して形成されていることを特徴とする印刷紙取出部を備えたキャビネット。
【請求項２】
前記収容箱の前面は、前記開口部の周囲に密着する枠部を有し、
前記底面の前端に形成された枠部は、前記開口部の下辺と同一若しくは高く配置されると共に、
前記閉塞部材の下部には、前記開口部からキャビネット外に流れ出た雨水を、前記閉塞部材外部に排出するための流路が形成されて成ることを特徴とする請求項１記載の印刷紙取出部を備えたキャビネット。
【発明の詳細な説明】
【技術分野】
【０００１】
本発明は、印刷紙の取出部を備えたキャビネットに関し、特に印刷紙取出部を備えても屋外に設置可能なキャビネットに関する。
【背景技術】
【０００２】
宅配ボックスは、受取人が不在であっても荷物を配達できるため、受取人と配達業者の双方にとって都合が良く普及が進んでいる。このような宅配ボックスは、例えば印鑑を宅配ボックスに収容しておくことで、居住者が不在であっても配達者が受領書に受領印を押印して配達完了の手続きをすることができた。
しかしながら、印鑑を宅配ボックスに収容する形態は、印鑑を紛失したり悪用される恐れがあったため、受領書自体を出力する受領書出力機を備えることで印鑑を収容する必要を無くした宅配ボックスがある。
例えば、特許文献１に開示されている宅配ボックスは、宅配物が収容されて施錠されると受領書出力機から受領書が出力された。
【先行技術文献】
【特許文献】
【０００３】
【特許文献１】特開平７−２１０７６９号公報
【発明の概要】
【発明が解決しようとする課題】
【０００４】
しかしながら、受領書出力機を備えた宅配ボックスは、集合住宅のエントランス等屋内での設置を前提としていたため、雨水に対する対策が成されていなかった。そのため、屋外に設置した場合は、出力された受領書を取り出す取出口から雨水が浸入し易く、受領書が濡れたり内部の機器が故障する恐れがあった。
【０００５】
そこで、本発明はこのような問題点に鑑み、屋外に設置しても受領書等の印刷紙の取出部から雨水が侵入し難く、また侵入した雨水により印刷紙や内部機器が故障することのない印刷紙取出部を備えたキャビネットを提供することを目的としている。
【課題を解決するための手段】
【０００６】
上記課題を解決する為に、請求項１の発明は、物品を収容する収容部と、印刷紙出力部を有して出力された印刷紙を取り出す取出部とを備えたキャビネットであって、取出部は、印刷紙を取り出すためにキャビネットに形成した開口部を閉塞する閉塞部材と、開口部の背部に配置されて印刷紙出力部から出力された印刷紙を収容する収容箱とを有し、閉塞部材は、扉板により開閉可能な取出口を有して、開口部の前面を覆うよう配置されると共に、扉板は上端が取出口の上辺に蝶着されて、開口部の内部方向へ回動可能に設けられている一方、収容箱は、扉板の回動空間を備えると共に、奥部に印刷紙出力部が出力した印刷紙を受け入れる受入窓が設けられており、更に収容箱の底面は、前傾した斜面を有して形成されていることを特徴とする。
この構成によれば、扉板を開けた時に収容箱内に雨水が入り込んでも、収容箱の底面は前傾しているため、雨水は留まること無く速やかに収容箱から排出される。よって、取出部から侵入した雨水が留まるようなことが無く、印刷紙や内部機器が雨水により劣化するのを防ぐことができる。
【０００７】
請求項２の発明は、請求項１に記載の構成において、収容箱の前面は、開口部の周囲に密着する枠部を有し、底面の前端に形成された枠部は、開口部の下辺と同一若しくは高く配置されると共に、閉塞部材の下部には、開口部からキャビネット外に流れ出た雨水を、閉塞部材外部に排出するための流路が形成されて成ることを特徴とする。
この構成によれば、収容箱から開口部を介してキャビネット外に流れ出た雨水は、更に閉塞部材の外へ排出される。よって、閉塞部材の背部に留まることが無く、キャビネットの劣化を防止できる。
【発明の効果】
【０００８】
本発明によれば、扉板を開けた時に収容箱内に雨水が入り込んでも、収容箱の底面は前傾しているため、雨水は留まること無く速やかに収容箱から排出される。よって、取出部から侵入した雨水が留まるようなことが無く、印刷紙や内部機器が雨水により劣化するのを防ぐことができる。
【図面の簡単な説明】
【０００９】
【図１】本発明に係る印刷紙取出部を備えたキャビネットの一例を示し、宅配ボックスの正面説明図である。
【図２】図１の宅配ボックスの側面図である。
【図３】図１の受領書取出部の正面図である。
【図４】図３のＡ−Ａ線断面図である。
【図５】閉塞部材を示し、（ａ）は右側面図、（ｂ）は底面図である。
【図６】収容箱を示し、（ａ）は正面図、（ｂ）は右側面図である。
【発明を実施するための形態】
【００１０】
以下、本発明を具体化した実施の形態を、図面を参照して詳細に説明する。図１，２は本発明に係る印刷紙取出部を備えたキャビネットの一例を示し、屋外設置型の宅配ボックスを示している。図１は正面説明図、図２は側面説明図である。
図に示すように、キャビネット１は、宅配物を収容する収容部を構成する第１キャビネット１ａと、第１キャビネット１ａの横に連結されて、第１キャビネット１ａの電気錠（図示せず）を操作する操作部３、及び受領書を取り出す取出部４等を備えた第２キャビネット１ｂとを有し、上部には双方に跨がる屋根板５が設けられている。
【００１１】
第１キャビネット１ａの前面には、両開きする扉１１、第２キャビネット１ｂの前面には片開きする扉１２が設けられ、前方から宅配物の出し入れができ、前方から機器のメンテナンスを可能としている。尚、１１ａは扉１１を開閉操作する操作ハンドル、１２ａは扉１２を開閉操作する操作ハンドルである。
【００１２】
図３，４は出力された受領書を取り出す取出部４を示し、図３は正面図、図４はＡ−Ａ線断面を示している。取出部４は、キャビネット１の前面である第２キャビネット１ｂの扉１２に開口部１２ｂを設けて形成され、開口部１２ｂの前面側に配置されて受領書取出口６が形成された閉塞部材７、開口部１２ｂの背面側に配置された収容箱８、第２キャビネット１ｂに収容されている受領書出力部９を備えて構成されている。
【００１３】
図５は閉塞部材７を示し、図５（ａ）は右側面図、図５（ｂ）は底面図である。図３〜５に示すように、閉塞部材７は、四角形で平坦な前面７ａを有し、その略中央に受領書取出口６を具備し、周囲には後方に折り曲げられて開口部１２ｂの周囲に密着する枠体７ｂが形成されている。
受領書取出口６は、図４に示すように開口部１２ｂより一回り小さく形成され、開口部１２ｂ内に入り込む奥行きを有する筒状部６ａを設けて形成されている。この筒状部６ａは、閉塞部材７の前面７ａから連続形成されて四角形筒状を成し、後端には受領書取出口６を閉塞するための扉板１３が配置されている。
【００１４】
扉板１３は、透明な合成樹脂から成り、受領書取出口６を構成する筒状部６ａより大きな板体であり、上端が筒状部６ａに蝶番１４により蝶着され、第２キャビネット１ｂの内部方向に回動して受領書取出口６を開放可能としている。そして、扉板１３は、蝶番１４に設けられている付勢部材（図示せず）により、筒状部６ａに密着するよう配置され、隙間の発生を無くして受領書取出口６からキャビネット１の内部に雨水が浸入しないよう構成されている。
【００１５】
図６は収容箱８を示し、図６（ａ）は正面図、図６（ｂ）は側面図である。収容箱８は、図４，６に示すように、扉板１３の回動空間が内部に形成され、収容箱８の奥部となる背面には、受領書出力部９から出力される受領書を収容箱８が受け取って収容するための受入窓８ａが開口形成されている。尚、受領書出力部９は、収容箱の背部に近接して配置されている。
また開放された前面は、周囲に帯状の枠部８ｂが周設され、ハウジングの背面、即ち扉１２の背面に隙間無く取り付けられるよう形成されている。この枠部８ｂは、閉塞部材７の枠体７ｂと略同一サイズで形成され、双方の４隅にねじ止め部７ｄ，８ｃが設けられており、扉１２を介して両者はねじ止めされて固定される。
取出部４は、このねじ止めにより第２キャビネット１ｂの扉１２に密着させて取り付けられる。
【００１６】
次に、この取出部４の雨水排出構造を説明する。
収容箱８の底面８ｄは、前傾した斜面で形成され、受領書取出口６等から入り込んだ雨水が前方へ流れ出るよう構成されている。また、受領書取出口６に設けられている筒状部６ａも、４面のうち底部に配置された面６ｂが前傾形成されており、筒状部６ａに雨水が入り込んでも、前方に流れ出るよう形成されている。
【００１７】
更に、収容箱８の底面８ｄの扉１２に密着する先端部Ｐ（図４に示す）は、開口部１２ｂの下辺に一致するよう配置され、収容箱８に流入して傾斜形成された底面８ｄにより前方へ流れ出た雨水が、引き続きスムーズに扉１２の表側、即ちキャビネット１の表側に流れ出るよう構成されている。尚、収容箱８の底面８ｄの扉１２に密着する先端部Ｐは、開口部１２ｂの下辺から僅かに高い位置に配置しても良い。
【００１８】
そして、閉塞部材７の枠体７ｂの下部には、図５（ｂ）に示すように背面に切り欠き７ｃが設けられ、図４に示すように扉１２との間に隙間が形成されるよう構成されている。この切り欠き７ｃにより、収容箱８からキャビネット１の外部に流れ出た雨水が、更に閉塞部材７の外側に流れ出て、キャビネット１から完全に流れ出ることを可能としている。
【００１９】
このように、扉板１３を開けた時に収容箱８内に雨水が入り込んでも、収容箱８の底面８ｄは前傾しているため、雨水は留まること無く速やかに収容箱８から排出される。よって、取出部４から侵入した雨水が留まるようなことが無く、出力された受領書や内部機器が雨水により劣化するのを防ぐことができる。
また、収容箱８から開口部１２ｂを介してキャビネット１の外部に流れ出た雨水は、閉塞部材７に形成された切り欠き７ｃにより更に閉塞部材７の外へ排出される。よって、閉塞部材７の背部に留まることが無く、キャビネット１の劣化を防止できる。
【００２０】
尚、上記実施形態では受領書取出口６は第２キャビネット１ｂの扉１２に設けられているが、扉１２でなく開閉できないキャビネットの壁部に設けても良い。
また、閉塞部材７の下部に切り欠き７ｃを設けて、雨水が排出されるよう形成しているが、キャビネット１と閉塞部材７の間に流入した雨水を排出できれば良く、切り欠き７ｃに代えて上下方向の貫通孔としても良い。
【産業上の利用可能性】
【００２１】
上記実施形態では、宅配ボックスを例に受領書を取り出す取出部４設けたキャビネットを説明したが、他のキャビネットに対しても適用でき、例えば領収書等の印刷紙を出力する自動販売機に適用することができる。
【符号の説明】
【００２２】
１・・キャビネット、１ａ・・第１キャビネット（収容部）、４・・取出部、６・・受領書取出口（取出口）、６ａ・・筒状部、７・・閉塞部材、７ｃ・・切り欠き（流路）、８・・収容箱、８ａ・・受入窓、８ｂ・・枠部、８ｄ・・底面、９・・受領書出力部（印刷紙出力部）、１２ｂ・・開口部、１３・・扉板。
【図１】
2020022638.tif 000003
【図２】
2020022638.tif 000004
【図３】
2020022638.tif 000005
【図４】
2020022638.tif 000006
【図５】
2020022638.tif 000007
【図６】
2020022638.tif 000008